(57)【要約】      （修正有）【課題】包袋内部の同一箇所に、封入した付属包装体を片寄せして、同包袋への被包装物の充填を可能にする包装装置を提供する。【解決手段】付属包装体４０を、ホッパー下端のＶ字配置した開閉板１７の間に向けて滑落させる場合、チューブ２９から空気室２６に送り込んだ圧搾空気を、ポート２７から左側の開閉板に向けて噴出させ、前記の付属包装体４０を空気圧で左側の開閉板１７の内面に押し付ける。そうして置いて上部から粒状の被包装物３０を充填し前記付属包装体４０の遊び動きを止めたあと、両側の開閉板１７を同時開放することで、付属包装体４０を片側に寄せた状態で被包装物３０を包袋内に充填できる。【選択図】図１
0003143297.tif 000002
【実用新案登録請求の範囲】
【請求項１】
一対のクランプでもって両側縁を挟持した包袋を前記クランプと一体に運搬する軌道上に、縦筒の下端両側の開口面に一対の開閉板をV字型に配置して形成するホッパーを配置し、下降する前記ホッパーにおける開閉板を前記包袋内で開放し、該ホッパーが貯留する被包装物を包袋内に解放する装置であって、
前記一対の開閉板のうち、一側の開閉板は、その外面の外壁内に空気室を形成すると共に、該空気室内における一側の開閉板に、他側の開閉板に向くポートを開口し、前記空気室内に吹き込まれる空気を前記ポートから他側の開閉板に向けて噴きだし、かかる噴きだし圧でもって縦筒内に投入されるの付属包装体を他側の開閉板に押し付けながら、縦筒内に被包装物を貯留させることを特徴とする装置。
【考案の詳細な説明】
【技術分野】
【０００１】
本考案は、包袋内部の定位置に予め脱酸素剤などの付属包装体を配置し、その周りに被包装物を充填して最終的に、付属包装体を常に決められた位置に配して被包装物を一体包装する装置に関する。
【０００２】
大量の包装体を形成するとき、前記の付属包装体を各包袋の定位置に配置することが望ましく、かかる目的を達成すべく、下記の特許文献１は、平袋内に酸化鉄を封入した子袋を投入する第１工程と、非磁性板と磁性板とを接近させ前記平袋と共に前記子袋を挟圧する第２工程と、そのあと前記両板を離反する際の、酸化鉄の磁性板への密着力を利用して子袋を平袋の片側内面に吸い寄せる第３工程と、そうした状態のまま平袋内に被包装物を充填する第４工程とからなる包装手段を開示している。しかしかかる手段では、予備工程を含め被包装物を平袋に充填するのに４工程を要する非能率性があり、また子袋の内容物が鉄分以外では用をなさないという問題点もある。
【０００３】
そこで下記の特許文献２は、包袋に被包装物を充填する筒状ホッパー内に、仕切り板を隔てて子袋投入用の通路と、被包装物投入用の通路とを形成し、前記両通路を同時併用することで、包袋の定位置に子袋を配して被包装物を充填することができる装置を開示している。しかしかかる装置においては、子袋投入用の通路を形成した分、被包装物投入用の通路が狭くなり、被包装物の充填能率を低下させるという問題がある
【０００４】
【特許文献１】特開昭６２−１５８６０１号公報
【特許文献２】特開２００５−３４３４９０号公報
【考案の開示】
【０００５】
本考案は、前記の問題点を解決する包材の送り装置を開示するものであつて、一対のクランプでもって両側縁を挟持した包袋を前記クランプと一体に運搬する軌道上に、縦筒の下端両側の開口面に一対の開閉板をV字型に配置して形成するホッパーを配置し、下降する前記ホッパーにおける開閉板を前記包袋内で開放し、該ホッパーが貯留する被包装物を包袋内に解放する装置であって、該装置は、前記一対の開閉板のうち、一側の開閉板は、その外面の外壁内に空気室を形成すると共に、該空気室内における一側の開閉板に、他側の開閉板に向くポートを開口し、前記空気室内に吹き込まれる空気を前記ポートから他側の開閉板に向けて噴きだし、かかる噴きだし圧でもって縦筒内に投入されるの付属包装体を他側の開閉板に押し付けながら、縦筒内に被包装物を貯留するごとく構成する。
【０００６】
縦筒の下端両側の開口面を閉鎖する一対の開閉板はV字状に傾斜しており、空気室内に噴き込む空気は一側の開閉板のポートから他側の開閉板に向けて噴きだす。このため縦筒内に投入されるの付属包装体は、前記の前記ポートからの噴きだし圧てもって他側の開閉板に斜めに押し付けられ、縦筒内に投入される被包装物が前記の噴き込み空気を遮断しても、付属包装体は被包装物でもって開閉板に押し付けられて位置保持が行われるので、両開閉板の開放でもって付属包装体と被包装物とは大きく位置を変えることなく包袋に向けて充填されるのである。
【実施例１】
【０００７】
図４にその一部分を示すロータリ式の包装機１０は、縦軸に支えられる円盤１１に、１組一対からなる多数組のアーム１２を介してクランプ１３を支持し、一対のクランプ１３は包袋１５の両側縁を挟持し、円盤１１の水平方向への回転でもって前記包袋１５を運搬する。
【０００８】
前記包袋の運搬軌道上には、図３に示すホッパー２０が配置されるが、該ホッパーは上部の縦筒１６と、該縦筒１６の下端、V字状２面の開口面それぞれに、枢支ピン１８を介して一対の開閉板１７をV字配置して構成している。ホッパー２０の側面から突き出る腕２１は昇降ロッド２２に支えられ、一方縦筒１６に設置した流体シリンダー２３と、一対の開閉板１７とはリンク２４を介して連結され、開閉板１７の開閉作用は前記流体シリンダー２３の動力でもって行う。要するに該ホッパー２０の下域に包袋が到達して停止すると、ロッド２２の下降動力により両開閉板１７は袋口から包袋内に挿入される。
【０００９】
同時に、図４に示すごとくシリンダー２３は両開閉板１７を包袋１５内で開放し、予めホッパー２０内に貯留する粒状の被包装物３０が包袋１５内に放出されのである。
【００１０】
図３における右側の開閉板１７の外面には、同外面に沿った外壁２５を設けており、より詳しくは図１及び図２に示すように長方形の外壁２５は開閉板１７との間に薄平たい空気室２６を形成すると共に、該空気室内において開閉板１７に、左側の開閉板１７に向けた複数のポート２７を開口する。
【００１１】
図３におけるシュート２８を通して、例えばエージレスを封入した付属包装体４０を縦筒１６内に投入すると、付属包装体４０はV字配置した開閉板１７の間に向けて滑落する。この場合図１におけるチューブ２９から空気室２６には圧搾空気が送られ、該空気はポート２７から左側の開閉板に向けて噴出すので、前記の付属包装体４０を空気圧で左側の開閉板１７の内面に押し付けておき、続いて上部から落下する粒状の被包装物３０で前記付属包装体４０の遊び動きを止めたあと、両側の開閉板１７を同時開放することで、図４において付属包装体４０を片側に寄せた状態で被包装物３０を包袋１５に充填ができるのである。
【図面の簡単な説明】
【００１２】
【図１】ホッパー下端の断面図
【図２】前図の正面図
【図３】ホッパー全体の側面図
【図４】前記ホッパーによる包袋への、被包装物の充填図
【符号の説明】
【００１３】
１３‥‥クランプ
１５‥‥包袋
１６‥‥縦筒
１７‥‥開閉板
２０‥‥ホッパー
２５‥‥外壁
２６‥‥空気室
２７‥‥ポート
３０‥‥被包装物
４０‥‥付属包装体
【図１】
0003143297.tif 000003
【図２】
0003143297.tif 000004
【図３】
0003143297.tif 000005
【図４】
0003143297.tif 000006